(57)【要約】【課題】空気調和装置の室内機から発生する音を、使用者の主観及び生理反応評価に基づいて創生した空調音とは異なる音によって快音化するようにした空気調和装置の室内機を提供する。【解決手段】室内機１００は、送風機５の運転音に対する人間の主観評価及び生理反応に基づいてデジタル信号処理を施し、送風機５の運転音に基づいた快適化運転音信号を創出する音響信号処理／発生手段８０と、音響信号処理／発生手段８０から送られる快適化運転音信号を快適化運転として放射する音再生手段５０と、送風機５及び音再生手段５０を制御し、送風機５の運転中に快適化運転音を放射させる制御装置７０と、を備えている。【選択図】図４
2014137204.tif 000002
【特許請求の範囲】
【請求項１】
駆動部品と、
前記駆動部品の運転音に対する人間の主観評価及び生理反応に基づいてデジタル信号処理を施し、前記駆動部品の運転音に基づいた快適化運転音信号を創出する音響信号処理／発生手段と、
前記音響信号処理／発生手段から送られる前記快適化運転音信号を快適化運転音として放射する音再生手段と、
前記駆動部品から運転音が放射されているときに前記音再生手段から前記快適化運転音を放射させる制御装置と、を備えた
ことを特徴とする空気調和装置の室内機。
【請求項２】
前記音響信号処理／発生手段は、
前記駆動部品の運転音の周波数特性に対してＨＰＦ処理又はＬＰＦ処理を施して前記快適化運転音信号を創出する
ことを特徴とする請求項１に記載の空気調和装置の室内機。
【請求項３】
前記音響信号処理／発生手段は、
３００Ｈｚより低い周波数成分を逓減させるようにＨＰＦ処理を施す
ことを特徴とする請求項２に記載の空気調和装置の室内機。
【請求項４】
前記音響信号処理／発生手段は、
５００Ｈｚより高い周波数成分を逓減させるようにＬＰＦ処理を施す
ことを特徴とする請求項２に記載の空気調和装置の室内機。
【請求項５】
前記音響信号処理／発生手段は、
前記快適化運転音の音圧レベルを前記駆動部品の運転音の音圧レベルよりも−１ｄＢ〜−５ｄＢの範囲で減衰させている
ことを特徴とする請求項１〜４のいずれか一項に記載の空気調和装置の室内機。
【請求項６】
前記駆動部品が過渡的な変化を行うものであるとき、
前記制御装置は、
前記駆動部品が過渡的に変化する時間帯以外に前記快適化運転音を放射させる
ことを特徴とする請求項１〜５のいずれか一項に記載の空気調和装置の室内機。
【請求項７】
請求項１〜６のいずれか一項に記載の空気調和装置の室内機を備えた
ことを特徴とする空気調和装置。
【発明の詳細な説明】
【技術分野】
【０００１】
本発明は、空調音とは異なる音によって使用者（人間）の心理的な作用を変化させることができる空気調和装置の室内機及びこの室内機を備えた空気調和装置に関するものである。
【背景技術】
【０００２】
従来、涼感を醸し出すために、家電製品（扇風機、エアコンなど）のコントロール基板に涼感をそそる実音（例えば、波の音、渓流のせせらぎの音、せみの鳴き声、かわずの鳴く音、鈴虫の鳴く音などの涼やかな情緒を醸し出す音声）を内蔵したり、涼感をそそる実音を録音した外部記録媒体を接続したりして、涼感をそそる音声を製品運転時に同時再生するようにした技術が開示されている（例えば、特許文献１参照）。
【０００３】
また、スピーカーの効果音により、異常音をマスキングするようにした技術が開示されている（例えば、特許文献２参照）。特許文献２に記載の技術は、運転状況等によって発生する異常音をマスキングするため、異常音が発生すると室内機の羽根車の回転数とモータの印加電圧から得られる特定周波数近傍の効果音をスピーカーから流すようにしている。
【０００４】
また、ダクト状吹出通路を形成し、そのダクト状吹出通路に送風手段の送風音を含む運転騒音を打ち消すための打ち消し用の音を流すようにした技術が開示されている（例えば、特許文献３参照）。特許文献３に記載の技術は、吹出口近傍に一次元の音場となり得るダクト状吹出通路を形成し、このダクト状吹出通路において送風手段の送風音を含む運転騒音をアクティブ消音し、室内に放射される運転騒音の低減、消音効果を得るようにしたものである。
【０００５】
また、「暖かみのある」と「涼しげな」の２つの評価語を用いて主観評価実験を行い、その実験結果に基づきシャープネス値が所定範囲にあるような空調音を発生しているかどうかを評価するようにした技術が開示されている（例えば、特許文献４参照）。特許文献４に記載の技術は、冷暖房時に快適な空調音を発生させるように、整流部材を調整し、シャープネス値が所定範囲にあるような評価を行っている。
【０００６】
また、ハイパーソニック・エフェクトを利用して、使用者の快適性を向上させるようにした技術が開示されている（例えば、特許文献５参照）。特許文献５に記載の技術は、エアコンの動作音を快適なものとするため、動作時に超音波（周波数が２０〜１００ｋＨｚの音）を流すようにしている。
【０００７】
また、計測した心理音響パラメータを使用して音質改善を行うことができるようにした技術が開示されている（例えば、特許文献６参照）。特許文献６に記載の技術は、画像形成装置から発せられる音の心理音響パラメータの計測および主観的評価を行って主観評価値を算出し、計測した心理音響パラメータと主観評価値との重回帰分析の結果に基づき、音質評価式を算出するようにしている。
【０００８】
また、使用者の聴感にあった方法で騒音を低減するようにした技術が開示されている（例えば、特許文献７参照）。特許文献７に記載の技術は、心理音響評価指標との相関関係式を予め設定しておき、騒音波形を、その音色に対応する心理音響評価指標の数値となるように整形するようにしている。
【０００９】
また、電気自動車において、変換手段によって変換された音を発音し、歩行者が直感的に自動車の接近を知ることができるようにした技術が開示されている（例えば、特許文献８参照）。特許文献８に記載の技術は、使用者が心地よく感じる音を生成し、その音を発音するようにしたものである。
【先行技術文献】
【特許文献】
【００１０】
【特許文献１】特開２００２−３４９４７４号公報（実施例１等）
【特許文献２】特開２００３−２６９７７１号公報（実施の形態１等）
【特許文献３】特開２０１１−  ５８７７２号公報（第１の実施の形態等）
【特許文献４】特開２０１０−  ６６２１７号公報（実施例１等）
【特許文献５】特開２００４−    ３７９１号公報（第１実施形態等）
【特許文献６】特開２００２−２５７６２１号公報（第６頁〜第１０頁等）
【特許文献７】特開２００２−２５３８９０号公報（第１の実施の形態等）
【特許文献８】特開２００６−２６４３９０号公報（第３頁〜第５頁等）
【発明の概要】
【発明が解決しようとする課題】
【００１１】
特許文献１に記載されているような技術は、使用者の主観や生理反応に基づかない、一般的な概念で得られる「涼感」をそそると思われる音声（例えば、波の音、渓流のせせらぎの音、せみの鳴き声、かわずの鳴く音、鈴虫の鳴く音などの涼やかな情緒を醸し出す音声）を再生するものである。そのため、発生させる音によっては騒音になってしまっていた。また、使用者の主観や生理反応を全く考慮した音声ではないため、使用者に必ずしも涼感を与えることはできない。
【００１２】
特許文献２に記載されているような技術は、あくまでも異常音をマスキングして、実際の空気調和機から発生される異常音以外の音の実聴感を向上させるようにしたものである。しかしながら、特許文献２に記載されている技術は、異常音を使用者に聞こえにくくしているだけで、使用者の心理的な作用を何ら変化させることができるものではなく、使用者の心理的な作用を変化させることに言及されてもいない。
【００１３】
特許文献３に記載されているような技術は、壁面設置型の空気調和機において、アクティブ消音を適用して、騒音を打ち消すようにしたものである。しかしながら、特許文献３に記載されている技術は、室内機から放射されてしまう騒音を可能な限り低減して、使用者に不快感を与えないようにしているだけで、使用者の心理的な作用を何ら変化させることができるものではなく、使用者の心理的な作用を変化させることに言及されてもいない。
【００１４】
特許文献４に記載されているような技術は、使用者が快く感じる音であるかどうかの主観評価実験を行い、空調音それ自体のシャープネス値が所定範囲となるように整流部材を調整するようにしたものである。しかしながら、室内機から放射されてしまう音そのものが使用者にとって不快なものとなっていないかどうかを評価しているだけで、空調音とは異なる音によって使用者の心理的な作用を変化させるようにしたものではなく、空調音とは異なる音によって使用者の心理的な作用を変化させることに言及されてもいない。
【００１５】
特許文献５に記載されているような技術は、超音波を送風音に重畳させて使用者の快適性を向上させるハイパーソニック・エフェクトを利用したものである。しかしながら、特許文献５に記載されているような技術は、使用者の主観や生理反応に基づかない、所定範囲の周波数の超音波を発生させるだけであり、使用者が音として認識し得るのは、超音波を重畳させていない音と同じである。つまり、騒音は騒音として認識されるだけであり、使用者の心理的な作用に影響を与えないことも十分に考えられる。
【００１６】
特許文献６に記載されているような技術は、主観評価実験を行い、客観的な音質の評価を行うことができるようにしたものである。しかしながら、特許文献６に記載されているような技術は、画像形成装置から放射されてしまう音そのものが使用者にとって不快なものとなっていないかどうかを評価しているだけで、画像形成装置から放射されてしまう音とは異なる音によって使用者の心理的な作用を変化させるようにしたものではなく、画像形成装置から放射されてしまう音とは異なる音によって使用者の心理的な作用を変化させることに言及されてもいない。
【００１７】
特許文献７に記載されているような技術は、騒音波形を、その音色に対応する心理音響評価指標の数値となるように整形するようにしたものである。しかしながら、特許文献７に記載されているような技術は、騒音、それ自体を心理音響評価指標に基づいて整形するようにしたものであり、騒音とは異なる音によって使用者の心理的な作用を変化させるようにしたものではなく、騒音とは異なる音によって使用者の心理的な作用を変化させることに言及されてもいない。
【００１８】
特許文献８に記載されているような技術は、使用者の主観や生理反応に基づかない、一般的な概念で得られる音声を発音するものである。そのため、発生させる音によっては騒音になってしまっていた。また、使用者の主観や生理反応を全く考慮した音声ではないため、使用者に不快感を与えないことはできるかもしれないが、使用者の心理的な作用を変化させることができるものではなく、使用者の心理的な作用を変化させることに言及されてもいない。
【００１９】
本発明は、以上のような課題に対処するためになされたもので、空気調和装置の室内機から発生する音（以下、空調音と称する）を、使用者の主観及び生理反応評価に基づいて創生した空調音とは異なる音によって快音化するようにした空気調和装置の室内機及び空気調和装置を提供することを目的としている。
【課題を解決するための手段】
【００２０】
本発明に係る空気調和装置の室内機は、駆動部品と、前記駆動部品の運転音に対する人間の主観評価及び生理反応に基づいてデジタル信号処理を施し、前記駆動部品の運転音に基づいた快適化運転音信号を創出する音響信号処理／発生手段と、前記音響信号処理／発生手段から送られる前記快適化運転音信号を快適化運転音として放射する音再生手段と、前記駆動部品から運転音が放射されているときに前記音再生手段から前記快適化運転音を放射させる制御装置と、を備えたものである。
【発明の効果】
【００２１】
本発明に係る空気調和装置の室内機によれば、使用者の主観及び生理反応評価結果に基づき創出された「快適化運転音」を駆動部品の運転中に放射するので、「快適化運転音」によって人間の心理的な作用に影響を与えることができる。
【図面の簡単な説明】
【００２２】
【図１】本発明の実施の形態に係る空気調和装置の室内機を示す概略正面図である。
【図２】本発明の実施の形態に係る空気調和装置の室内機を側面視した断面構成を示す概略断面図である。
【図３】本発明の実施の形態に係る空気調和装置の電気的な構成を示すブロック図である。
【図４】本発明の実施の形態に係る空気調和装置の室内機の快適化運転音の再生作用を説明するための模式図である。
【図５】本発明の実施の形態に係る空気調和装置の室内機の送風機の運転音の周波数特性に基づいて実施した主観評価及び生理反応評価結果をまとめた概略図である。
【図６】図５の結果（図５に示す破線範囲部分）を多変量解析した概略図である。
【図７】ＨＰＦ処理した音の周波数特性の一例を示すグラフである。
【図８】ＬＰＦ処理した音の周波数特性の一例を示すグラフである。
【図９】快適化運転音の放射タイミングの一例を説明するための説明図である。
【図１０】快適化運転音による睡眠誘導を説明するための説明図である。
【発明を実施するための形態】
【００２３】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００２４】
図１は、本発明の実施の形態に係る空気調和装置Ａの室内機１００を示す概略正面図である。図２は、室内機１００を側面視した断面構成を示す概略断面図である。図３は、空気調和装置Ａの電気的な構成を示すブロック図である。図４は、室内機１００の快適化運転音の再生作用を説明するための模式図である。図１〜図４に基づいて、室内機１００の構成及び通常運転動作について説明する。
【００２５】
室内機１００は、生活者（使用者）の主観及び生理反応評価に基づいてデジタル信号処理（以下で説明するＨＰＦ（高域通過型）処理、ＬＰＦ処理（低域通過型））した快適化運転音を、室内機１００の運転時に同時出力するようにしたものである。
【００２６】
（室内機１００の構成）
図１および図２において、室内機１００は、空調対象域である室内等の壁面Ｂに設置されている。室内機１００は、上部に吸込口３および下部に吹出口７が形成された本体１と、本体１の前面を開閉自在に覆う前面パネル２と、吸込口３から室内空気を吸い込んで吹出口７に至る風路６を形成する送風機５と、送風機５の上流側に設置された熱交換器４と、音再生手段５０と、を有している。また、吹出口７に、熱交換器４において調和された空気（以下「調和空気」と称す）の吹き出し方向を調整する上下風向板９及び左右風向板１０が設置されている。
【００２７】
本体１の前面には、リモコン（ワイヤレスリモコンに同じ）２００との間で信号を送受信する送受信部４０が設置されている。本体１の内部には、制御装置７０が設置されている。また、本体１の内部には、ドレンパン８が設置されている。
【００２８】
本体１は、室内機１００の外郭を構成するものである。本体１には、熱交換器４及び送風機５が内蔵される。また、本体１の内部には、吸込口３から吹出口７に至る風路６が形成されている。
【００２９】
熱交換器４は、図２に示すように、前面パネル２に略平行な部分である熱交換前部分４ａと、送風機５の前面寄り斜め上方の部分である熱交換上前部分４ｂと、送風機５の後面寄り斜め上方の部分である熱交換上後部分４ｃと、を具備している。そして、熱交換前部分４ａの下方にはドレンパン８が配置されている。ドレンパン８の上面８ａは、実際にドレンを受ける機能を果たす。ドレンパン８の下面８ｂは、風路６を構成する部材としての機能を果たす。
【００３０】
制御装置７０は、リモコン２００からの指示や図示省略のセンサー（温度センサー、湿度センサー、圧力センサー等）からの計測情報に基づいて、送風機５、上下風向板９および左右風向板１０の運転を制御する他、空気調和装置Ａの動作全般を制御するものである。制御装置７０は、その機能を実現する回路デバイスのようなハードウェアで構成することもできるし、マイコンやＣＰＵのような演算装置と、その上で実行されるソフトウェアとにより構成することもできる。
【００３１】
また、制御装置７０は、音響信号処理／発生手段８０と、記憶手段９０と、を有しており、音再生手段５０から快適化運転音を出力させる機能も有している。音響信号処理／発生手段８０は、人間の主観評価及び生理反応評価結果に基づいて、基準音にデジタル信号処理、つまりＨＰＦ処理及びＬＰＦ処理を施し、快適化運転音信号を創出するものである。記憶手段９０は、不揮発メモリーであり、生活者（使用者）の主観評価及び生理反応評価に基づいて音響信号処理／発生手段８０によってデジタル信号処理された音声データ種データを記憶するものである。
【００３２】
音再生手段５０は、制御装置７０の音響信号処理／発生手段８０から送られる快適化運転音信号によって創出される快適化運転音を再生するものである。音再生手段５０は、図１に示すように本体１の前面に設置してもよく、図４に示すように本体１とは別体として本体１とは別の場所に設置してもよい。音再生手段５０は、例えばスピーカーで構成するとよい。また、音再生手段５０の個数を特に限定するものではない。音再生手段５０を複数設置する場合には、本体１と本体１の外部のそれぞれに設置するようにしてもよく、本体１のみ、本体１の外部のみに設置するようにしてもよい。さらに、音再生手段５０の大きさも特に限定するものではない。
【００３３】
リモコン２００は、使用者（図４に示す使用者Ｃ等）から指示された空調条件を設定して、当該空調条件に対応した信号を本体１に送信するものである。リモコン２００から送信された信号は、本体１の送受信部４０によって受信される。なお、リモコン２００に表示部が設置されている場合には、本体１の送受信部４０から送られる信号を受信することによって、現在の空調条件等が表示部に表示される。また、快適化運転音が使用者Ｃの選択によって再生可能になっている場合には、リモコン２００に快適化運転音の再生を指示するための快適化運転再生ボタンを設置しておくとよい。
【００３４】
（室内機１００の作用）
通常、室内機１００の運転中では、図４に示すような送風機５の運転音（流体音）が本体１の外部に放射されている（図４に示す矢印Ｘ）。これに対し、室内機１００では、音再生手段５０を設け、この音再生手段５０から快適化運転音を本体１の外部（空調対象域である室内等）に放射するようにしている（図４に示す矢印Ｙ）。つまり、室内機１００では、予め実施した室内機１００の送風機５の運転音（流体音）の周波数特性に対する使用者Ｃに対する主観評価及び生理反応評価の結果に基づいてデジタル信号処理した快適化運転音を室内機１００の運転時に同時出力することを可能にしている。なお、ここでは、駆動部品の一例として送風機５を挙げて説明するが、室内機１００に搭載される駆動部品であれば送風機５でなくてもよい。
【００３５】
（室内機１００の作用の詳細）
図５は、室内機１００の送風機５の運転音（流体音）の周波数特性に基づいて実施した主観評価及び生理反応評価結果をまとめた概略図である。図６は、図５の結果（図５に示す破線範囲部分）を多変量解析した概略図である。図５及び図６に基づいて、室内機１００の送風機５の運転音（流体音）の周波数特性に基づいて実施した主観評価及び生理反応評価について説明する。なお、図５では、２０才台の男女４５人に行った結果をまとめたものである。また、図６では、横軸が被験者に聞かせる音の大小を、縦軸が被験者の主観（快い、不快な）を、それぞれ表している。
【００３６】
図５には、室内機１００から放射される実際の送風機５の運転音（基準音）だけを被験者に聞かせたときの評価結果と、基準音にＨＰＦ処理した音（ＨＰＦ処理音）を加えた音を被験者に聞かせたときの評価結果と、基準音にＬＰＦ処理した音（ＬＰＦ処理音）を加えた音を被験者に聞かせたときの評価結果と、を図示している。主観評価及び生理反応評価は、図５に示すように、室内機１００から放射される送風機５の運転音（基準音、基準音＋ＨＰＦ処理音、基準音＋ＬＰＦ処理音）を複数の被験者に聞かせ、その運転音から被験者のそれぞれが受ける感じ方を数値化したものである。なお、ＨＰＦ処理音及びＬＰＦ処理音は、マイクロフォンなどを利用して録音した運転音にデジタル信号処理を施したものである。
【００３７】
図５の破線範囲部分を参照すると、「冷たい」−「暖かい」を示す項目とで、ＨＰＦ処理音とＬＰＦ処理音とに明らかな差異が生じていることがわかる。一方、「冷たい」−「暖かい」とで明らかな差異が生じているにも関わらず、ＨＰＦ処理音及びＬＰＦ処理音のいずれにおいても、「快い」−「不快」を示す項目では一致していることがわかる。つまり、ＨＰＦ処理音及びＬＰＦ処理音は、被験者に「快い」という心理的な作用を与えることでは共通しているものの、ＨＰＦ処理音は被験者に「冷たい」という心理的な作用を与え、ＬＰＦ処理音は被験者に「暖かい」という心理的な作用を与える。
【００３８】
図５に示す結果を多変量解析すると、図６に示すように、被験者の主観が快適性評価エリアと不快性評価エリアとに２分されることがわかった。図６では、Ａ：基準（強運転）、Ｂ：ゆらぎ成分、Ｃ：定常変化成分、Ｄ：ＨＰＦ処理音＋音圧レベル減衰、Ｅ：ＬＰＦ処理音＋音圧レベル減衰の５つの評価結果を図示している。そして、そのうちのＡ及びＢが不快性評価エリアに、そのうちのＣ〜Ｅが快適性評価エリアに、それぞれ分類されていることがわかった。
【００３９】
Ａは、室内機１００を「強」で運転させたときの基準音に対する主観評価及び生理反応評価を示している。Ｂは、Ａに対して「ゆらぎ成分」を発生させたときの基準音に対する主観評価及び生理反応評価を示している。Ｃは、Ａに対して想定される定常変化を加味したときの基準音に対する主観評価及び生理反応評価を示している。Ｄは、基準音にＨＰＦ処理音を加え、全体としての音圧レベルを減衰させたときの主観評価及び生理反応評価を示している。Ｅは、基準音にＬＰＦ処理音を加え、全体としての音圧レベルを減衰させたときの主観評価及び生理反応評価を示している。
【００４０】
この図６から、ＨＰＦ処理音又はＬＰＦ処理音が基準音に加えられている方が被験者に対して快適性を与えられるということがわかった。また、これのうち全体の音圧レベルが減衰している方が被験者に対して快適性が与えられるということがわかった。すなわち、デジタル信号処理した快適化運転音を基準音に加えること、及び、全体の音圧レベルを減衰させることによって、被験者の冷暖感覚に心理的な作用を与えられるということがわかったのである。そこで、室内機１００は、快適化運転音を放射することによって使用者Ｃの心理的な作用に変化を与えるようにしている。
【００４１】
具体的には、使用者Ｃの主観評価及び生理反応評価結果から創出された快適化運転音を音再生手段５０から放射させ、室内機１００から放射される実際の送風機５の運転音に重畳させるようにしている。快適化運転音は、基準音に基づいて、この基準音にＨＰＦ処理又はＬＰＦ処理を施して創出される。なお、一度創出された快適化運転音は、記憶手段９０に記憶しておくとよい。
【００４２】
ＨＰＦ処理及びＬＰＦ処理は、制御装置７０の音響信号処理／発生手段８０で行なわれる。具体的には、音響信号処理／発生手段８０は、室内機１００の実際の送風機５の運転音（流体音）の周波数特性に、ＨＰＦ処理及びＬＰＦ処理を施す。ＨＰＦ処理とは、所定周波数（例えば３００Ｈｚ）以上の周波数の成分をほとんど減衰させず、所定周波数より低い周波数成分を逓減させるものである。ＬＰＦ処理とは、所定周波数（例えば５００Ｈｚ）以下の周波数の成分をほとんど減衰させず、所定周波数より高い周波数成分を逓減させるものである。
【００４３】
音響信号処理／発生手段８０は、図５及び図６で説明したような使用者Ｃの主観評価及び生理反応評価結果を反映させたアルゴリズムに基づいて、基準音にデジタル信号処理を施し、ＨＰＦ処理音及びＬＰＦ処理音、つまり快適化運転音となる快適化運転音信号を創出する。室内機１００では、音響信号処理／発生手段８０によって創出された快適化運転音信号を、室内機１００の運転中に音再生手段５０に送り、音再生手段５０から快適化運転音として放射させ、基準音＋快適化運転音が使用者Ｃに届くようにしている。こうすることによって、室内機１００では、使用者Ｃの心理的な冷暖感覚に作用を与え、使用者Ｃによる室内機１００の設定温度の変更の低減化を図っている。
【００４４】
例えば、冷房運転中に、更なる温度低下を要求する使用者Ｃに対しては、ＨＰＦ処理音を基準に加え、音圧レベルを減衰させることで、使用者Ｃに心理的な冷感作用を与え、冷房設定温度を下げさせないことを可能にしている。同様に、例えば、暖房運転中に、更なる温度上昇を要求する使用者Ｃに対しては、ＬＰＦ処理音を基準に加え、音圧レベルを減衰させることで、使用者Ｃに心理的な温感作用を与え、暖房設定温度を上げさせないことを可能にしている。これによって、実際の空調負荷の増大を回避でき、省エネ効果が実現できる。
【００４５】
従来から存在する技術は、使用者の主観や生理反応に基づかない音声を再生したり、放射される音を打ち消すようなマスクをしたり、外部に放射される音それ自体を使用者に不快感を与えないような音にしたり、超音波を重畳させたり、するようなものであった。そのため、使用者の冷暖感覚に作用を与えるためには、実際に使用者自らが冷房設定温度又は暖房設定温度を調整する必要があった。結局、冷感を得たい使用者は現在の冷房設定温度を更に下げ、温感を得たい使用者は現在の暖房設定温度を更に上げることになり、省エネ効果に繋がらない。
【００４６】
それに対し、室内機１００では、基準音にデジタル信号処理した音を加えたものを放射している。そのため、放射させる音それ自体の音圧レベルは基準音に比べて増加したものとなっているが、使用者Ｃの主観に基づくデジタル信号処理した音を添加しているので、放射させる音によって、使用者Ｃの冷暖感覚に作用を与えることができる。よって、実際に、使用者Ｃ自らが冷房設定温度又は暖房設定温度を調整することを低減でき、空調負担は現在のままとなり、その分省エネが実現できる。
【００４７】
図７は、ＨＰＦ処理した音の周波数特性の一例を示すグラフである。図８は、ＬＰＦ処理した音の周波数特性の一例を示すグラフである。図７及び図８に基づいて、ＨＰＦ処理した音及びＬＰＦ処理した音の具体例について説明する。なお、図７及び図８では、横軸が周波数（Ｈｚ）を、縦軸が音圧レベル（ｄＢ）を、それぞれ示している。図７では、実線が基準音（室内機１００から放射される送風機５の運転音）の周波数特性を、破線がＨＰＦ処理した音の周波数特性を、それぞれ示している。図８では、実線が基準音の周波数特性を、破線がＬＰＦ処理した音の周波数特性を、それぞれ示している。
【００４８】
使用者Ｃの主観評価及び生理反応評価から、ＨＰＦ処理した音は、使用者Ｃの冷感に心理的に作用することがわかった（例えば、図５及び図６参照）。また、使用者Ｃの主観評価及び生理反応評価から、ＬＰＦ処理した音は、使用者Ｃの温感に心理的に作用することがわかった（例えば、図５及び図６参照）。
【００４９】
そこで、音響信号処理／発生手段８０は、図７に示すように、デジタル信号処理により、基準音の周波数特性のうち例えば３００Ｈｚ以上の高域のみを再生するように、ＨＰＦ処理した信号を快適化運転音信号として創出する。この快適化運転音信号を音再生手段５０に送り、快適化運転音として放射することで、使用者Ｃは、冷房設定温度を下げなくても、実際に感じている冷感以上の冷感を心理的に得られる。
【００５０】
同様に、音響信号処理／発生手段８０は、図８に示すように、デジタル信号処理により、基準音の周波数特性のうち例えば５００Ｈｚ以下の低域のみを再生するように、ＬＰＦ処理した信号を快適化運転音信号として創出する。この快適化運転音信号を音再生手段５０に送り、快適化運転音として放射することで、使用者Ｃは、暖房設定温度を上げなくても、実際に感じている温感以上の温感を心理的に得られる。
【００５１】
また、上述したように、室内機１００では、放射させる音それ自体の音圧レベルは基準音に比べて増加したものとなっている。単に、快適化運転音を音再生手段５０から放射させただけでは、増大した音圧レベルによって使用者Ｃに不快感を与えてしまう可能性がある（図６参照）。そこで、室内機１００では、快適化運転音の音圧レベルを、源音（基準音）となる室内機１００の運転音よりも−１ｄＢ〜−５ｄＢの範囲で減衰させている。これにより、使用者Ｃに不快を与えない範囲で快適化運転音を放射できる。
【００５２】
さらに、設置する音再生手段５０の種類や大きさ、特性、個数などにもよるが、放射される快適化運転音の指向性によっては、快適化運転音が使用者Ｃに届きにくいことがある。そこで、音響信号処理／発生手段８０は、快適化運転音が使用者Ｃに直接放射されるように快適化運転音の指向性を広げる位相補正をデジタル信号処理の１つとして実施できるようにしておくとよい。
【００５３】
図９は、快適化運転音の放射タイミングの一例を説明するための説明図である。図９に基づいて、快適化運転音の放射タイミングの一例について説明する。図９では、横軸が時間を、縦軸が基準音のレスポンスを、それぞれ示している。この図９では、基準音を、マイクロフォンなどを利用して集音したときの一例を示している。
【００５４】
室内機１００の運転中、継続的に快適化運転音を放射させてもよいが、送風機５の運転動作によって快適化運転音の放射タイミングを決定してもよい。例えば、図９に示すように、過渡的な変化を有するように送風機５が運転され、室内機１００からの送風が変動する場合には、過渡的な変化を行う送風時間帯に快適化運転音の提示を行わないようにするとよい。そして、送風の変動（レスポンス）が少ない時間帯域に限定して、快適化運転音の提示を行うようにする。
【００５５】
こうすることにより、過渡的な送風に応じた快適化運転音を提示しなくても一定音圧の快適化運転音を提示することができるようになる。そのため、快適化運転音が騒音にならず、快適化運転音の提示のためのアルゴリズムは一定音量提示と同様になる。よって、比較的簡略したアルゴリズムによって快適化運転音の提供が可能となる。なお、快適化運転音の放射タイミングは、制御装置７０に予め記憶させておくとよい。
【００５６】
図１０は、快適化運転音による睡眠誘導を説明するための説明図である。図１０に基づいて、快適化運転音による睡眠誘導について説明する。図１０では、横軸が時間（ｔ）を、縦軸が脳内のヘモグロビン（Ｈｂ）の濃度変化（大小）を、それぞれ示している。
【００５７】
使用者Ｃの主観評価及び生理反応評価から、睡眠誘導に最適な周波数特性を有する快適化運転音を創出する。この快適化運転音を、例えば送風運転中や冷房運転中に放射させることで、冷房設定温度を下げることなく、使用者Ｃに対して睡眠を誘導することが可能になる。図１０から、睡眠誘導に最適な周波数特性を有する快適化運転音を放射することで、使用者Ｃを短時間でノンレム睡眠に誘導できることがわかった。例えば、真夏の寝苦しい夜などにおいても、冷房設定温度を無理に下げなくても、使用者Ｃは、室内機１００から放射される快適化運転音によって、睡眠が誘導され、寝苦しさが低減されることになる。
【００５８】
以上のように、室内機１００及びこの室内機１００を備えた空気調和装置Ａは、予め実施した基準音に対する使用者の主観評価及び生理反応評価の結果に基づいてデジタル信号処理した快適化運転音を室内機１００の運転時に放射することができ、使用者の心理的な冷暖感覚に作用を与えることができる。その結果、快適化運転音によって使用者の心理的な作用を変化させることができ、使用者の快適性を向上させることができる。また、使用者の心理的な作用を変化させることで、空調負荷を実際に増大させることも低減できることになるので、省エネに寄与することにもなる。さらに、快適化運転音による睡眠誘導も実現できる。
【符号の説明】
【００５９】
１  本体、２  前面パネル、３  吸込口、４  熱交換器、４ａ  熱交換前部分、４ｂ  熱交換上前部分、４ｃ  熱交換上後部分、５  送風機、６  風路、７  吹出口、８  ドレンパン、８ａ  上面、８ｂ  下面、９  上下風向板、１０  左右風向板、４０  送受信部、５０  音再生手段、７０  制御装置、８０  音響信号処理／発生手段、９０  記憶手段、１００  室内機、２００  リモコン、Ａ  空気調和装置、Ｂ  壁面、Ｃ  使用者。
【図１】
2014137204.tif 000003
【図２】
2014137204.tif 000004
【図３】
2014137204.tif 000005
【図４】
2014137204.tif 000006
【図５】
2014137204.tif 000007
【図６】
2014137204.tif 000008
【図７】
2014137204.tif 000009
【図８】
2014137204.tif 000010
【図９】
2014137204.tif 000011
【図１０】
2014137204.tif 000012